(57)【特許請求の範囲】
【請求項１】
天井の埋込穴に嵌合可能な筒状であって上方を覆う天部を備え前記埋込穴の表面側縁部に係止するつばを開口部に有するとともにランプ挿入穴部を側部に有する器具本体と、
前記側部において前記ランプ挿入穴部とその対向位置を結ぶ方向の両側となる位置の前記つば側に下端部が取付けられ、上端部側が前記器具本体の前記天部側で前記側部より外方に傾斜し、前記つばが前記埋込穴の前記表面側縁部に係止した状態で前記埋込穴の縁部に摩擦係止する取付ばねと、
前記器具本体の天部に基部が取付けられ、先端が前記器具本体の側部外方に延出し、前記ランプ挿入穴部の外側に前面が対向するランプソケットを前記先端に有して、前記器具本体を斜めにした状態で、前記埋込穴に前記ランプソケットとともに挿入可能なソケット台と、
前記開口部より挿入され前記ランプ挿入穴部を通して前記ランプソケットに装着されるランプベースを有し、前記ランプソケットよりも前記つば側に突出する突出部を前記ランプベースに有する片口金ランプとを備え、
前記ランプソケットの前記つばからの高さは、前記片口金ランプを前記ランプソケットから外した状態で、前記ランプソケットおよび前記ソケット台を前記埋込穴に挿入しさらに前記器具本体を前記埋込穴に挿入しかつ前記つばを前記埋込穴の縁部に係止することができる寸法に設定され、
前記片口金ランプの前記突出部の前記つばからの高さは、前記器具本体の前記つばが前記埋込穴に係止した状態から、前記器具本体を引き下げる際に、前記突出部が前記天井の裏面に係止して前記器具本体の取り外しができない寸法に設定されていることを特徴とする照明器具。
【発明の詳細な説明】
【０００１】
【産業上の利用分野】
この発明は、照明器具に関するものである。
【０００２】
【従来の技術】
従来例を図４に示す。すなわち、器具本体５０は取付金具５１および枠５２を一体に有するとともに、安定器５３およびランプソケット５４を有し、天井の埋込穴に挿入して枠５２を天井表面に係止するとともに、取付金具５１を天井裏面に係止して天井に固定する。反射板５５を埋込穴に挿入して器具本体５０の取付部（図示せず）に取付け、また反射板５５より片口金ランプ５６を挿入して反射板５５のランプ挿入穴部を通してランプソケット５４に装着する。
【０００３】
【発明が解決しようとする課題】
しかし、この照明器具は、天井取付時に反射板５５と片口金ランプ５６を外した状態で埋込穴に挿入して取付金具５１を引き下げて固定する必要があるため、取付け施工が煩雑であるという欠点があった。
したがって、この発明の目的は、天井への取付けが簡単かつ安全にできる照明器具を提供することである。
【０００４】
【課題を解決するための手段】
この発明の照明器具は、天井の埋込穴に嵌合可能な筒状であって上方を覆う天部を備え前記埋込穴の表面側縁部に係止するつばを開口部に有するとともにランプ挿入穴部を側部に有する器具本体と、
前記側部において前記ランプ挿入穴部とその対向位置を結ぶ方向の両側となる位置の前記つば側に下端部が取付けられ、上端部側が前記器具本体の前記天部側で前記側部より外方に傾斜し、前記つばが前記埋込穴の前記表面側縁部に係止した状態で前記埋込穴の縁部に摩擦係止する取付ばねと、
前記器具本体の天部に基部が取付けられ、先端が前記器具本体の側部外方に延出し、前記ランプ挿入穴部の外側に前面が対向するランプソケットを前記先端に有して、前記器具本体を斜めにした状態で、前記埋込穴に前記ランプソケットとともに挿入可能なソケット台と、
前記開口部より挿入され前記ランプ挿入穴部を通して前記ランプソケットに装着されるランプベースを有し、前記ランプソケットよりも前記つば側に突出する突出部を前記ランプベースに有する片口金ランプとを備え、
前記ランプソケットの前記つばからの高さは、前記片口金ランプを前記ランプソケットから外した状態で、前記ランプソケットおよび前記ソケット台を前記埋込穴に挿入しさらに前記器具本体を前記埋込穴に挿入しかつ前記つばを前記埋込穴の縁部に係止することができる寸法に設定され、
前記片口金ランプの前記突出部の前記つばからの高さは、前記器具本体の前記つばが前記埋込穴に係止した状態から、前記器具本体を引き下げる際に、前記突出部が前記天井の裏面に係止して前記器具本体の取り外しができない寸法に設定されていることを特徴とするものである。
【０００５】
【作用】
この発明の構成によれば、照明器具を天井に取付けるときは、片口金ランプを外し、取付ばねの先端を器具本体側に撓めた状態で器具本体を傾けてランプソケットおよびソケット台を先に埋込穴に挿入し、挿入途中で器具本体を回動して垂直姿勢にすると同時に取付ばねにより埋込穴に摩擦係止する。さらに片口金ランプを器具本体に挿入しランプ挿入穴部よりランプソケットに装着すると、ランプベースの突出部が天井の裏面に接近する。このため、器具本体が取付ばねに抗して落下しようとしても片口金ランプの突出部が天井に係止するので落下防止となる。したがって、天井取付けが簡単でしかも落下防止できるので安全が図れる。
【０００６】
【実施例】
この発明の一実施例を図１ないし図３により説明する。すなわち、この照明器具は、器具本体１と、取付ばね２と、ソケット台３と、ランプソケット４と、片口金ランプ５とを有する。
器具本体１は、少なくとも下部が天井の理込穴に嵌合可能な略筒状であって上方を覆う天部を備えている。すなわち、天井６の埋込穴７に嵌合可能な有天筒状であって、埋込穴７の表面側縁部に係止するつば８を開口部に有するとともに、ランプ挿入穴部９を側部に有する。実施例では天部のソケット台３の付根部に安定器収納部１６を形成し、安定器収納部１６に安定器１５等を取付けている。
【０００７】
取付ばね２は、図２に示すように、器具本体１のランプ挿入穴部９の開口方向と交差する方向の両側部に下端部１０が取付けられて上端部１１側が器具本体１の外方に漸次湾曲することにより埋込穴７の縁部に摩擦係止する。実施例では板ばねにより形成し、下端部１０は折り返片を設けて器具本体１に取付け、上端部１１は外向きに屈曲する屈曲部を形成して、片口金ランプ５を装着していないときに器具本体１が落下しかかっても引っ掛かるようにしている。
【０００８】
ソケット台３は、器具本体１の天部よりランプ挿入穴部９に対向する位置に先端が延出している。実施例では略Ｌ形板を用い、その一片を器具本体１の天部に取付けるとともに、安定器収納部１６に収納するように一片に安定器１５を取付け、他片の先端の内側にランプソケット４を取付けている。
ランプソケット４は、ソケット台３の先端に取付けられて前面がランプ挿入穴部９に向いている。実施例ではランプソケット４の後端部がソケット台３に取付けられている。
【０００９】
片口金ランプ５は、器具本体１に挿入されてランプ挿入穴部４を通してランプソケット４に装着されるランプベース２０がランプソケット４よりも下方に突出した突出部１２を有する。実施例のランプベース２０は４角形であり、突出部１２はそのコーナ部としている。また片口金ランプ５は４本の直管１７ａ〜１７ｄをランプベース２０の形状に合わせて略コーナ部の近傍に立設してなり、図２に示すように対角線に位置する一対の直管１７ａ，１７ｃが垂直姿勢となるようにランプソケット４に装着されている。
【００１０】
そして、器具本体１の中心軸Ｐとランプソケット４の中心軸Ｑとを含む垂直面内すなわち図１において、片口金ランプ５を装着していないときのランプソケット４とその下位側の器具本体１の側部とで形成される第１の凹部１７を中心位置としてその中心位置からソケット台３を含む器具本体１の外形までの最大距離φ１  が埋込穴７の径φ２  よりも小さく、かつ、片口金ランプ５をランプソケット４に装着したとき（想像線）の片口金ランプ５のランプベース２０の突出部１２とその下位側の器具本体１の側部とで形成される第２の凹部１８を中心位置としてこの中心位置からソケット台３を含む器具本体１の外形までの最大距離φ３  が埋込穴７の径φ２  よりも大きくなるように寸法関係を設定している。
【００１１】
したがって、ランプソケット４の高さはこれ以上高さを天井裏側に下げることができない寸法Ｌ以上に制限され、片口金ランプ５のランプベース２０の突出部１２が天井裏に接近することとなる。
この実施例によれば、照明器具を天井６に取付けるときは、片口金ランプ５を外し、取付ばね２の先端を器具本体１側に撓めた状態で器具本体１を傾けてランプソケット４およびソケット台３を先に埋込穴７に図１のように挿入し、挿入途中で器具本体１を回動して垂直姿勢にすると、同時に取付ばね２により埋込穴７に摩擦係止する。この状態が片口金ランプ５の装着されていない状態での固定状態である。
【００１２】
さらに片口金ランプ５を器具本体１に挿入しランプ挿入穴部９よりランプソケット４に装着すると、前記寸法関係によりランプベース２０の突出部１２が天井６の裏面に接近する。このため、器具本体１が取付ばね２に抗して落下しようとしても片口金ランプ５の突出部１２が天井６に係止するので落下防止となる。したがって、天井取付けが簡単でしかも落下防止できるので安全が図れる。
【００１３】
また比較的重量のある安定器内蔵型のダウンライトにあっても、この実施例のように簡易なばね取付構造を採用できるので、施工性を向上でき、反射板と器具本体の一体化によりローコスト化が図れる。
また、片口金ランプ５の直管１７ａ〜１７ｄの配置を図２の状態に配置したことにより、突出部１２を下方に突出することができるので図１に点々で示す薄い天井材６ａでも片口金ランプ５が付いたままでは落下防止することができる。しかもこの直管１７ａ〜１７ｄの配置は下から見て直管数が３本以上にみえるので、図２の状態から４５°回転したものが２本にしかみえないのと比較して、ランプ光束を有効に利用することができ器具効率を向上できる。
【００１４】
【発明の効果】
この発明の照明器具は、照明器具を天井に取付けるときは、片口金ランプを外し、取付ばねの先端を器具本体側に撓めた状態で器具本体を傾けてランプソケットおよびソケット台を先に埋込穴に挿入し、挿入途中で器具本体を回動して垂直姿勢にすると同時に取付ばねにより埋込穴に摩擦係止する。さらに片口金ランプを器具本体に挿入しランプ挿入穴部よりランプソケットに装着すると、ランプベースの突出部が天井の裏面に接近する。このため、器具本体が取付ばねに抗して落下しようとしても片口金ランプの突出部が天井に係止するので落下防止となる。したがって、天井取付けが簡単でしかも落下防止できるので安全が図れるという効果がある。
【図面の簡単な説明】
【図１】この発明の一実施例の器具本体の中心軸およびランプソケットの中心軸を含む垂直面内における取付過程の断面図である。
【図２】照明器具の取付状態のランプ軸に直交する方向の断面図である。
【図３】図１の照明器具の取付状態の断面図である。
【図４】従来例の側面図である。
【符号の説明】
１    器具本体
２    取付ばね
３    ソケット台
４    ランプソケット
５    片口金ランプ
６    天井
７    埋込穴
８    つば
９    ランプ挿入穴部
１２    突出部
１７    第１の凹部
１８    第２の凹部
２０    ランプベース
φ１    第１の凹部からの最大距離
φ２    埋込穴の径
φ３    第２の凹部からの最大距離
【図１】
0003561937.tif 000002
【図２】
0003561937.tif 000003
【図３】
0003561937.tif 000004
【図４】
0003561937.tif 000005